(57)【要約】【課題】  折り畳んだ状態で前後面がフラット状に形成できるため収納し易い。  また、座板を少し前方に傾けるのみで自主的にいすが形成され、誰でも簡単に組み立てられると共に、取手孔により、持ち運びに便利である。  さらに、シンプルな構造でありながら強度的にも信頼できる折畳椅子を提案するものである。【解決手段】  折り畳み可能な椅子において、略四角形状の椅子本体枠内に、上端を蝶番等にて支持し開閉自在に形成した中央部に座板の係止部を係止する係止溝を設けてなる支持孔を穿設すると共に、上部に取手孔を穿設してなる支持脚を設け、上記椅子本体枠の上部前面に中央部よりやや下方の両側を蝶番等にて支持し、開閉自在に形成した上部に取手孔を穿設すると共に、下部に係止部を形設してなる座板を設けてなる。【選択図】  図１
2006346400.tif 000002
【特許請求の範囲】
【請求項１】
折り畳み可能な椅子において、略四角形状の椅子本体枠内に、上端を蝶番等にて支持し開閉自在に形成した中央部付近に座板の係止部を係止する係止溝を設けてなる支持孔を穿設すると共に、上部に取手孔を穿設してなる支持脚を設け、上記椅子本体枠の上部前面に中央部よりやや下方の両側を蝶番等にて支持し、開閉自在に形成した上部に取手孔を穿設すると共に、下部に係止部を形設してなる座板を設けてなることを特徴とする折畳椅子。
【請求項２】
座板において、蝶番等にて支持した部分を支点とし、上部の重量を下部の重量より重くしてなることを特徴とする請求項１記載の折畳椅子。
【請求項３】
支持脚の取手孔と、座板の取手孔を貫通させてなることを特徴とする請求項１又は２記載の折畳椅子。
【請求項４】
座板の厚みと椅子本体枠の上部の厚みの合計と椅子本体枠の下部の厚みを同一とすることを特徴とする請求項１、２又は３記載の折畳椅子。
【請求項５】
座板の厚みと支持脚の厚みの合計と、椅子本体枠の下部の厚みを同一とすることを特徴とする請求項１、２、３又は４記載の折畳椅子。
【発明の詳細な説明】
【技術分野】
【０００１】  本発明は、折り畳んだ状態では側面から見て単なる１枚の板としか見えず、座板の自重により簡単、容易に開閉できる折畳椅子に関するものである。
【背景技術】
【０００２】  従来の技術としては、椅子を形成する各部分が４枚のプレートにて構成されることを特徴とし、その４枚のプレートを各要所で蝶番式などの機構にて接続一体とした折り畳み椅子がある。（特許文献１参照）【０００３】  また、他の従来技術として、支柱の一部に、座板を蝶番で支柱に対して回転自在に取り付け、上記支柱にの座板の下方位置には回転軸を設け、この回転軸に脚部を回動自在に取り付けて構成する折り畳椅子がある。（特許文献２参照）【０００４】  さらに他の従来技術として、折り畳み自在な椅子骨組上にシート織物を備えた携帯用折畳式椅子において、その椅子骨組にさらにコップ掛けを有する折り畳み自在な一対の肘掛と、着脱自在な足掛け及びヘッドレストを備える。これによって、庭園や屋外等で休息する時に使用した際に、臀部や背中のみならず両腕、両足、頭部を含めた体全体をバランス良く支持することができるため、より快適性が向上する携帯用折畳式椅子がある。（特許文献３参照）
【特許文献１】  実開昭６３−１２０９５１号公報
【特許文献２】  実用新案登録第３０８９６１０号公報
【特許文献２】  特開２０００−１３５１４４号公報
【発明の開示】
【発明が解決しようとする課題】
【０００５】  上記前者においては、組み立てる前の段階では持ち運びが不便であり、かつ各部材が凹凸状に形成されているため収納しにくく、出し入れも周囲の物に引っ掛かってしまう恐れがある。【０００６】  上記中者においても、上記と同様な問題を有すると共に、部材が多くあり、コスト的に高くなるもので、強度的にも問題がある。【０００７】  上記後者においては、シート織物と骨組とにより構成され、携帯用として開発されたもので、座りごこちは余り期待できない。【０００８】  本発明は、上記のような問題点に鑑みなされたもので、その目的は、折り畳んだ状態で前後面がフラット状に形成できるため収納し易い。
また、座板を少し前方に傾けるのみで自主的にいすが形成され、誰でも簡単に組み立てられると共に、取手孔により、持ち運びに便利である。
さらに、シンプルな構造でありながら強度的にも信頼できる折畳椅子を提案するものである。
【課題を解決するための手段】
【０００９】  本発明は、上記の目的を達成するために、折り畳み可能な椅子において、略四角形状の椅子本体枠内に、上端を蝶番等にて支持し開閉自在に形成した中央部付近に座板の係止部を係止する係止溝を設けてなる支持孔を穿設すると共に、上部に取手孔を穿設してなる支持脚を設け、上記椅子本体枠の上部前面に中央部よりやや下方の両側を蝶番等にて支持し、開閉自在に形成した上部に取手孔を穿設すると共に、下部に係止部を形設してなる座板を設けてなる。
また、座板において、蝶番等にて支持した部分を支点とし、上部の重量を下部の重量より重くしてなる。
そして、支持脚の取手孔と、座板の取手孔を貫通させてなる。
また、座板の厚みと椅子本体枠の上部の厚みを同一とする。
さらにまた、板の厚みと支持脚の厚みの合計と、椅子本体枠の下部の厚みを同一とする。
【発明の効果】
【００１０】  本発明は、以下の効果を有する。
１）、椅子本体枠と支持脚と座板とのシンプルな構成ながら、座板の係止部を支持脚の支持孔（係止溝）に係止するだけで椅子として十分使用できる構造体となる。。
２）、座板において、蝶番等にて支持した部分を支点とし、上部の重量を下部の重量より重くすることにより、座板を前方に少し倒すのみで自重により係止部が支持孔に入り込み、自動的に椅子を組み立てることができる。
３）、支持脚の取手孔と座板の取手孔を貫通させることにより、手で握って簡単に持ち運びができる。
４）、座板の厚みと椅子本体枠の上部の厚みの合計と、椅子本体枠の下部の厚みを同一とすること、また、座板の厚みと支持脚の厚みの合計と、椅子本体枠の下部の厚みを同一とすることにより、前後面がフラット状に形成できるため、収納し易く、傷が付きにくい。
【発明を実施するための最良の形態】
【００１１】  １は、折畳椅子である。
２は、木製等による四角形状の椅子本体枠で、上部２ａの厚みＴを下部２ｂの厚みＴ１の約半分としてなる。
３は、上記椅子本体枠２の上部に、上端を蝶番ＣＢにて支持し、開閉自在に形成してなる支持脚で、平板の中央部付近縦方向に後述する座板の係止部を係止する係止溝３ａ１を設けてなる支持孔３ａを穿設すると共に、上部中央に取手孔３ｂを穿設してなる。
４は、上記椅子本体枠２の上部２ａの前面に、中央部よりやや下方の両側を蝶番ＣＢ１にて椅子本体枠２に対して開閉自在に支持してなる座板で、平板の上部中央に取手孔４ａを穿設すると共に、中央部両側を段差状４ｂに形成し、下部にキノコ状の係止部４ｃを形設してなる。【００１２】  上記折畳椅子１の使用例について下記に述べる。
まず、支持脚３の取手孔３ｂに手（図示せず）をいれて折畳椅子１を支持し、他方の手（図示せず）で座板４の上端を前方に少し倒すのみで自重により前方に倒れると同時に係止部４ｃが支持孔３ａに入り込み自動的に折畳椅子１を組み立てるもので、係止部４ｃが係止溝３ａ１に係止され組み立てが完成する。【００１３】  この折畳椅子１は  、座板４に座る（体重ＴＧ）ことにより、その反力Ｈを係止部４ｃ（係止溝３ａ１）で受ける構造であり、強度的に安定している。【００１４】  なお、上記実施例における折畳椅子の材質は木が望ましいが、他の材質、例えばプラスチックやアルミニューム等でもよい。
また、折畳椅子全体の大きさについても、必要に応じて決めればよい。
さらに、各部位は同様な機能を有するものであれば、他の形状のものでもよい。
【図面の簡単な説明】
【００１５】
【図１】  本発明の実施形態を示す折畳椅子の正面図。
【図２】  本発明の実施形態を示す折畳椅子の背面図。
【図３】  本発明の実施形態を示す折畳椅子の側面図。
【図４】  本発明の実施形態を示す折畳椅子の平面図。
【図５】  本発明の実施形態を示す折畳椅子組み立てスタート時の側面図。
【図６】  本発明の実施形態を示す折畳椅子組み立て中間時点の側面図。
【図７】  本発明の実施形態を示す折畳椅子組み立て終了時の側面図。
【図８】  本発明の実施形態を示す折畳椅子組み立て終了時の平面図。
【符号の説明】
【００１６】１−−−折畳椅子
２−−−椅子本体枠
２ａ−−上部
２ｂ−−下部
３−−−支持脚
３ａ−−支持孔
３ａ１−係止溝
３ｂ−−取手孔
４−−−座板
４ｂ−−段差状
４ｃ−−係止部
Ｔ−−−厚み
ＣＢ−−蝶番
ＴＧ−−体重
Ｈ−−−反力
【図１】
2006346400.tif 000003
【図２】
2006346400.tif 000004
【図３】
2006346400.tif 000005
【図４】
2006346400.tif 000006
【図５】
2006346400.tif 000007
【図６】
2006346400.tif 000008
【図７】
2006346400.tif 000009
【図８】
2006346400.tif 000010